(57)【要約】      （修正有）【課題】複数の規格に対応する複数の電子機器用コネクタを、機械式切替機能を設けることで統合し、スペースを節約できるコネクタを提供する。【解決手段】コネクタは、絶縁座体１１０と複数の第１のソケット端子２１と複数の第２のソケット端子２２と複数の第３のソケット端子２３と複数の第４のソケット端子２４と複数の第５のソケット端子２５と機械式可動部材３１とを含み、機械式可動部材が絶縁座体の第１位置と第２位置の間に位置する。機械式可動部材が第１位置に定位された時、一部複数の第３のソケット端子が複数の第５のソケット端子に接続し、複数の第２のソケット端子と複数の第３のソケット端子が第２規格に適合する第２信号を伝送する。機械式可動部材が第２位置に定位された時、一部複数の第３のソケット端子が複数の第４のソケット端子に接続し、複数の第１のソケット端子と一部複数の第３のソケット端子が第３規格に適合する第３信号を伝送する。【選択図】図２
0003180092.tif 000002
【実用新案登録請求の範囲】
【請求項１】
差込口と、厚さが異なる第１の舌部と第２の舌部とを備え、前記差込口に位置する舌片とを含む絶縁座体と、
前記第１の舌部の一面に位置し、第１信号を伝送する複数の第１のソケット端子と、
前記第２の舌部の一面に位置する複数の第２のソケット端子と、
前記第１の舌部の一面と同じ前記第２の舌部の他面に位置する複数の第３のソケット端子と、
前記絶縁体に位置する複数の第４のソケット端子と、
前記絶縁体に位置すると共に前記第４のソケット端子と交互にずれる複数の第５のソケット端子と、
前記絶縁座体の第１位置と第２位置の間に位置し、前記第１位置に定位された時、一部の前記第３のソケット端子が前記第５のソケット端子に接続し、前記第２のソケット端子と前記第３のソケット端子が第２信号を伝送し、前記第２位置に定位された時、一部の前記第３のソケット端子が前記第４のソケット端子に接続し、前記第１のソケット端子と一部の前記第３のソケット端子が第３信号を伝送する機械式可動部材と、
を含むことを特徴とする機械式切替機能を有するコネクタ。
【請求項２】
前記機械式可動部材は、前記絶縁座体に位置すると共に差込口内に定位する当接支持ブロックを含むことを特徴とする請求項１に記載の機械式切替機能を有するコネクタ。
【請求項３】
前記機械式可動部材に接続する複数の切替端子を更に含み、前記機械式可動部材が前記第１位置に定位された時、前記切替端子が一部の前記第３のソケット端子と前記第５のソケット端子に接続でき、前記機械式可動部材が前記第２位置に定位された時、前記切替端子が一部の前記第３のソケット端子と前記第４のソケット端子に接続できることを特徴とする請求項１に記載の機械式切替機能を有するコネクタ。
【請求項４】
前記絶縁座体と前記機械式可動部材の間に位置する弾性部材を更に含むことを特徴とする請求項１に記載の機械式切替機能を有するコネクタ。
【請求項５】
差込口と、厚さが異なる第１の舌部と第２の舌部とを備え、前記差込口に位置する舌片とを含む絶縁座体と、
前記第１の舌部の一面に位置し、第１信号を伝送する複数の第１のソケット端子と、
前記第２の舌部の一面に位置する複数の第２のソケット端子と、
前記第１の舌部の一面と同じ前記第２の舌部の他面に位置する複数の第３のソケット端子と、
前記絶縁体に位置する複数の第４のソケット端子と、
前記絶縁体に位置すると共に前記第４のソケット端子と交互にずれる複数の第５のソケット端子と、
前記絶縁座体の第１位置と第２位置の間に位置し、前記第１位置に定位された時、一部の前記第３のソケット端子が前記第４のソケット端子に接続し、前記第１のソケット端子と一部の前記第３のソケット端子が第３信号を伝送し、前記第２位置に定位された時、一部の前記第３のソケット端子が前記第５のソケット端子に接続し、前記第２のソケット端子と前記第３のソケット端子が第２信号を伝送する機械式可動部材と、
を含むことを特徴とする機械式切替機能を有するコネクタ。
【請求項６】
前記第１の舌部と前記第２の舌部の間に段差面を備え、前記機械式可動部材が前記絶縁座体に位置すると共に前記差込口の外側へ向けて前記段差面から延出する当接支持ブロックを含むことを特徴とする請求項５に記載の機械式切替機能を有するコネクタ。
【請求項７】
前記機械式可動部材に接続する複数の切替端子を更に含み、前記機械式可動部材が前記第１位置に定位された時、前記切替端子が一部の前記第３のソケット端子と前記第４のソケット端子に接続でき、前記機械式可動部材が前記第２位置に定位された時、前記切替端子が一部の前記第３のソケット端子と前記第５のソケット端子に接続できることを特徴とする請求項５に記載の機械式切替機能を有するコネクタ。
【請求項８】
前記絶縁座体と前記機械式可動部材の間に位置する弾性部材を更に含むことを特徴とする請求項５に記載の機械式切替機能を有するコネクタ。
【考案の詳細な説明】
【技術分野】
【０００１】
本考案は、コネクタに関し、特に、機械式で異なる伝送信号を切り替えるコネクタを提供することに関る。
【背景技術】
【０００２】
現在電子機器が普及し、電子機器の軽薄短小傾向に伴い、電子機器上にあるコネクタが占める体積も減らしていかなければならない。特に、異なるコネクタプラグの差込のため、異なる電子信号伝送規格に適した複数のコネクタを取り付ける必要がある。取り付けられる各コネクタも一定の体積を占め、且つ各コネクタの間隔をあけておかなければならないが、これらの間隔もスペースの無駄となっている。
【０００３】
デジタルオーディオの娯楽が提供される電子機器は、高解像マルチメディアインターフェース（Ｈｉｇｈ−Ｄｅｆｉｎｉｔｉｏｎ  Ｍｕｌｔｉｍｅｄｉａ  Ｉｎｔｅｒｆａｃｅ、ＨＤＭＩと略称）規格に適合するコネクタソケット及びユニバーサル・シリアル・バス（Ｕｎｉｖｅｒｓａｌ  Ｓｅｒｉａｌ  Ｂｕｓ、ＵＳＢと略称）２．０規格に適したコネクタソケット、３．０規格に適したコネクタソケット或いるは複数の他規格に適したコネクタソケットを設置し、且つイヤホンソケット及びマイクソケットも設置しなければならない場合、電子機器の多くのスペースが無駄となって各ソケットコネクタが取り付けられている。
【０００４】
よって、複数のコネクタ、例えばＨＤＭＩコネクタ及びＵＳＢコネクタ等を統合することで占用するスペースを節約することもやはり要望され、同時にＨＤＭＩ及びＵＳＢダブル伝送インターフェースを備えたコネクタの差込みを間違わないよう考慮しなければならないことは、この業種に従事する関連業者から研究改良が必要とされているところである。
【考案の概要】
【考案が解決しようとする課題】
【０００５】
そこで、本考案は上記のような従来技術の問題点に鑑みて、機械式切替機能を有するコネクタを提供することを目的とする。
【課題を解決するための手段】
【０００６】
本考案では、絶縁座体と複数の第１のソケット端子と複数の第２のソケット端子と複数の第３のソケット端子と複数の第４のソケット端子と複数の第５のソケット端子と機械式可動部材とを含むコネクタを提供する。
絶縁座体には、差込口と、厚さが異なる第１の舌部と第２の舌部とを備え、差込口に位置する舌片とを含む。複数の第１のソケット端子が第１の舌部の一面に位置し、第１規格に適合する第１信号を伝送する。複数の第２のソケット端子は第２の舌部の一面に位置する。複数の第３のソケット端子は第２の舌部の他面に位置し、複数の第４のソケット端子及び複数の第５のソケット端子が絶縁体に位置すると共に交互にずれる。機械式可動部材は、絶縁座体の第１位置と第２位置の間に位置する。
機械式可動部材が第１位置に定位された時、一部複数の第３のソケット端子が複数の第５のソケット端子に接続し、複数の第２のソケット端子と複数の第３のソケット端子が第２規格に適合する第２信号を伝送し、機械式可動部材が第２位置に定位された時、一部複数の第３のソケット端子が複数の第４のソケット端子に接続し、複数の第１のソケット端子と一部複数の第３のソケット端子が第３規格に適合する第３信号を伝送する。
【０００７】
本考案では、絶縁座体と複数の第１のソケット端子と複数の第２のソケット端子と複数の第３のソケット端子と複数の第４のソケット端子と複数の第５のソケット端子と機械式可動部材とを含むコネクタも提供する。
機械式可動部材が絶縁座体の第１位置と第２位置の間に位置する。機械式可動部材が第１位置に定位された時、一部複数の第３のソケット端子が複数の第４のソケット端子に接続し、複数の第１のソケット端子と一部複数の第３のソケット端子が第３規格に適合する第３信号を伝送する。機械式可動部材が第２位置に定位された時、一部複数の第３のソケット端子が複数の第５のソケット端子に接続し、複数の第２のソケット端子と複数の第３のソケット端子が第２規格に適合する第２信号を伝送する。
【０００８】
本考案はコネクタの機械式可動部材の移動を通じて異なる伝送信号モードに切り替え、同時にコネクタの絶縁座体にはハウジング開口部サイズが異なる差込口を備え、コネクタには厚さの異なる第１の舌部と第２の舌部を有し、伝送信号の異なるコネクタプラグの接続運用に提供される。
【０００９】
以下、実施形態において本考案の特徴及び長所を詳細に記述する。その内容は当業者に本考案の技術内容を理解させると共にこれに基づいて実施させることができ、且つ本明細書に開示されている内容、実用新案登録請求の範囲及び図面に基づき、当業者は容易に本考案の関連の目的及び長所を理解できる。
【図面の簡単な説明】
【００１０】
【図１】本考案の立体図である。
【図２】本考案の分解図である。
【図３】本考案の端子の立体図である。
【図４】本考案の透視図である。
【図５】本考案の断面図である。
【図６】本考案とプラグの立体図である。
【図７】本考案とプラグの上面断面図（一）である。
【図８】本考案とプラグの上面断面図（二）である。
【図９】本考案とプラグの上面断面図（三）である。
【考案を実施するための形態】
【００１１】
本考案の第１の実施例である図１、図２、図３、図４及び図５を参照しながら説明する。図１が立体図、図２が分解図、図３が端子の立体図、図４が透視図、図５が断面図である。
【実施例１】
【００１２】
第１の実施例の図面では、第１規格に適合する第１のプラグ２１０、第２規格に適合する第２のプラグ２２０或いは第３規格に適合する第３のプラグ２３０の差込に用いられ、切替機能を備えるコネクタ１００を開示し、つまり本実施例のコネクタ１００が単に第１規格に適合する一般的な第１のプラグ２１０の差込（例えばＵＳＢ２．０信号）に用いられることができ、且つコネクタ１００も単に第２規格に適合する一般的な第２のプラグ２２０の差込（例えばＨＤＭＩ信号又はＤｉｓｐｌａｙ  ｐｏｒｔ信号）若しくは第３規格に適合する一般的な第３のプラグ２３０の差込（例えばＵＳＢ３．０信号）にも用いられることを説明する。
コネクタ１００には絶縁座体１１０と、複数の第１のソケット端子２１と、複数の第２のソケット端子２２と複数の第３のソケット端子２３と複数の第４のソケット端子２４と複数の第５のソケット端子２５と機械式可動部材３１とを含む。
【００１３】
絶縁座体１１０はプラスチック材質からなる絶縁体で、差込口１０と本体１３と舌片１４を含む。本実施例の差込口１０は、殻体６１で絶縁座体１１０を包み込んで形成されたものであるが、これだけに限らず、実際の使用に当たり、絶縁座体１１０に差込口１０も直接形成でき、こうすることで殻体６１を省略できる。  差込口１０は相互に連結する第１のハウジング開口部１１と第２のハウジング開口部１２とを含む。簡単に言うと、第１のハウジング開口部１１は第１規格の差込規格及び第３規格の差込規格に適合し、第２のハウジング開口部１２が第２規格の差込規格に適合し、第１のハウジング開口部１１と第２のハウジング開口部１２全体が概ね凸字状となる。そこで、第１規格は、好しくはユニバーサル・シリアル・バス（Ｕｎｉｖｅｒｓａｌ  Ｓｅｒｉａｌ  Ｂｕｓ、ＵＳＢ２．０と略称）で、第２規格が好しくは高解像マルチメディア（Ｈｉｇｈ−Ｄｅｆｉｎｉｔｉｏｎ  Ｍｕｌｔｉｍｅｄｉａ  Ｉｎｔｅｒｆａｃｅ、ＨＤＭＩと略称）又はＤｉｓｐｌａｙ  ｐｏｒｔ信号で、第３規格が好しくはユニバーサル・シリアル・バス（Ｕｎｉｖｅｒｓａｌ  Ｓｅｒｉａｌ  Ｂｕｓ、ＵＳＢ３．０と略称）とすることができ、且つ、第１規格（ＵＳＢ２．０）及び第３規格（ＵＳＢ３．０）に使用する第１のハウジング開口部１１のサイズが第２規格（ＨＤＭＩ或いはＤｉｓｐｌａｙ  ｐｏｒｔ）の第２のハウジング開口部１２のサイズより小さい。
【００１４】
本実施例の絶縁座体１１０には、本体１３と舌片１４とを含む。好しくは、本体１３がその一側の一体型から延伸して舌片１４を形成し、本体１３に凹み状のスライド溝１３１が設けられ、舌片１４と本体１３の間に位置する。舌片１４は、相互に連結する第１の舌部１４１と第２の舌部１４２とを含む。
第１の舌部１４１は第１の厚さ１４１ａを有すると共に本体１３に連結する。第２の舌部１４２は、第１の舌部１４１に連結して第１の厚さ１４１ａと異なる第２の厚さ１４２ａを有する。そこで該第１の厚さ１４１ａは第２の厚さ１４２ａを上回り、第１の舌部１４１及び第２の舌部１４２が差込口１０（図５）に位置する。
【００１５】
複数の第１のソケット端子２１は絶縁座体１１０に位置し、且つ複数の第１のソケット端子２１の一端が本体１３に嵌設される。複数の第１のソケット端子２１は、好しくは埋め込み射出成形し絶縁座体１１０と組み立て或いは二者が分離式組立方法で結合する。
第１のソケット端子２１の他端は第１の舌部１４１に位置すると共に第１のハウジング開口部１１に向くことで、第１規格に適合する一組の第１信号を伝送し、つまり複数の第１のソケット端子２１はユニバーサル・シリアル・バス（Ｕｎｉｖｅｒｓａｌ  Ｓｅｒｉａｌ  Ｂｕｓ、ＵＳＢ２．０と略称）の信号を伝送し、好しくは他端が第１の舌部１４１の表面に位置して露出状態になる。特に説明したいのは、第１のソケット端子２１の他端が第１の舌部１４１の表面或いは裏面に位置することできる。
【００１６】
複数の第２のソケット端子２２は、第２の舌部１４２の第１面に位置する。そこで第１面は複数の第１のソケット端子２１が位置する第１の舌部１４１表面と反対する他面である。複数の第２のソケット端子２２の一端は第２のハウジング開口部１２に向く。
【００１７】
複数の第３のソケット端子２３は、第２の舌部１４２の第２面に位置する。そこで、第２面は複数の第１のソケット端子２１が位置する第１の舌部１４１の表面と同じである。複数の第３のソケット端子２３の一端は、第２の舌部１４２に位置すると共に第２のハウジング開口部１２に向く。本実施例で開示される複数の第３のソケット端子２３は、全て舌片１４に位置するが、これに限らず、例えば一部複数の第３のソケット端子２３（例えば５本の端子）の一端が舌片１４に位置し、他部分の複数の第３のソケット端子２３の一端が本体１３に直接延伸する。
【００１８】
複数の第２のソケット端子２２と複数の第３のソケット端子２３が第２規格に適合する一組の第２信号を伝送し、つまり複数の第２のソケット端子２２と複数の第３のソケット端子２３は高解像マルチメディアインターフェース（Ｈｉｇｈ−Ｄｅｆｉｎｉｔｉｏｎ  Ｍｕｌｔｉｍｅｄｉａ  Ｉｎｔｅｒｆａｃｅ、ＨＤＭＩと略称）或いはＤｉｓｐｌａｙ  ｐｏｒｔの信号を伝送する。
【００１９】
特に、一部複数の第３のソケット端子２３（例えば５本の端子）は複数の第１のソケット端子２１と組み合わせて、第３規格に適合する一組の第３信号を伝送でき、つまり一部複数の第３のソケット端子２３と複数の第１のソケット端子２１がユニバーサル・シリアル・バス信号（Ｕｎｉｖｅｒｓａｌ  Ｓｅｒｉａｌ  Ｂｕｓ、ＵＳＢ３．０と略称）を伝送する。
【００２０】
複数の第２のソケット端子２２と複数の第３のソケット端子２３の一端は千鳥配列で第１のハウジング開口部１１或いは第２のハウジング開口部１２に向き、複数の第２のソケット端子２２と複数の第３のソケット端子２３は、好しくは埋め込み射出成形して絶縁座体１１０と組み立て或いは二者が分離式組立方法で結合する。複数の第２のソケット端子２２と複数の第３のソケット端子２３は、好しくは一端が第２の舌部１４２の表面に位置して露出状態になる。
【００２１】
複数の第４のソケット端子２４が本体１３に位置する。そこで複数の第４のソケット端子２４が５本の端子で、且つ一端が本体１３と舌片１４の間にあるスライド溝１３１内に露出するものとするが、これに限らない。複数の第４のソケット端子２４の他端は、本体１３から突き出て外部回路基板に接続するために使用される。
【００２２】
複数の第５のソケット端子２５が本体１３に位置し、本実施例は複数の第５のソケット端子２５を複数の第４のソケット端子２４の近くに設けると共に水平線の並びを形成し、好しくは複数の第５のソケット端子２５が絶縁座体１１０に位置すると共に複数の第４のソケット端子２４をずらす。ただしこの設置方式はこれだけに限らない。特に、本実施例は５本を超える複数の第５のソケット端子２５の数量で説明するが、これだけに限らない。
例えば、本体１３のみに５本の複数の第５のソケット端子２５が設けて使用する場合、該複数の第５のソケット端子２５が５本を超える端子で、且つ一端が本体１３と舌片１４の間にあるスライド溝１３１に露出し、ただしこれに限らず、また複数の第５のソケット端子２５の他端は本体１３から突き出て外部回路基板に接続するために使用される。
【００２３】
機械式可動部材３１が本体１３の第１位置及び第２位置の間に位置し、そこで機械式可動部材３１がスライド溝１３１内に動きを制限して摺動するが、これだけに限らず、機械式可動部材３１は当接支持ブロック３１１を含む。機械式可動部材３１は、本体１３から第２のハウジング開口部１２へ向けて当接支持ブロック３１１を延出しており、また第１の舌部１４１と第２の舌部１４２の間で段差面１４３を形成し、当接支持ブロック３１１が第２のハウジング開口部１２へ向けて延出して段差面１４３を超える。当接支持ブロック３１１は第２の舌部１４２と一定の間隔を保持でき、第２の舌部１４２の側辺に位置し、若しくは当接支持ブロック３１１が第１の舌部１４１の中央表面に位置すると共に第１のハウジング開口部１１に向く。
【００２４】
本実施例のコネクタ１００は、絶縁座体１１０の本体１３と機械式可動部材３１の間に位置する弾性部材５１を更に含み、機械式可動部材３１の移動後弾性部材５１の反力を受けて元位置に戻るために用いられる。弾性部材５１は、好しくはスプリングとするが、これに限らず、スプリングプレート或いはその他弾力性を有する部材に交換することもできる。
【００２５】
コネクタ１００は第１信号（ＵＳＢ２．０）、第２信号（ＨＤＭＩ或いはＤｉｓｐｌａｙ  ｐｏｒｔ）又は第３信号（ＵＳＢ３．０）を伝送するプラグ２００と接続した時、機械式可動部材３１がプラグ２００の押進を受けることで、対応する複数の端子を接続させることができる。
【００２６】
本実施例の機械式可動部材３１が第１位置に定位された時、一部複数の第３のソケット端子２３が複数の第５のソケット端子２５に接続でき、複数の第２のソケット端子２２と複数の第３のソケット端子２３が第２規格に適合する第２信号（ＨＤＭＩ信号或いはＤｉｓｐｌａｙ  ｐｏｒｔ信号）を伝送する。機械式可動部材３１が第２位置に定位された時、一部複数の第３のソケット端子２３が複数の第４のソケット端子２４に接続でき、複数の第１のソケット端子２１と一部の複数の第３のソケット端子２３が第３規格に適合する第３信号（ＵＳＢ３．０信号）を伝送する。
【００２７】
本実施例で開示するコネクタ１００には、機械式可動部材３１に接続する複数の切替端子４１を更に含む。機械式可動部材３１が第１位置に定位された時、複数の切替端子４１が一部複数の第３のソケット端子２３（５本の端子）と複数の第５のソケット端子２５に接続でき、これを介して第２のソケット端子２２と複数の第３のソケット端子２３が第２規格に適合する第２信号（ＨＤＭＩ信号或いはＤｉｓｐｌａｙ  ｐｏｒｔ信号）を伝送できるようになる。機械式可動部材３１が第２位置に定位された時、複数の切替端子４１が一部複数の第３のソケット端子２３（５本の端子）と複数の第４のソケット端子２４に接続でき、これを介して複数の第１のソケット端子２１と一部複数の第３のソケット端子２３（５本の端子）が第３規格に適合する第３信号（ＵＳＢ３．０信号）を伝送できるようになる。
【００２８】
上述は、本考案の１つの実施例のみであり、本考案の信号伝送方法がこれにだけに限らない。本考案の第２の実施例では他の信号伝送方法を提供する。機械式可動部材３１が第１位置に定位された時、一部複数の第３のソケット端子２３が複数の第４のソケット端子２４に接続でき、複数の第１のソケット端子２１と一部複数の第３のソケット端子２３が第３規格に適合する第３信号（ＵＳＢ３．０信号）を伝送する。機械式可動部材３１が第２位置に定位された時、一部複数の第３のソケット端子２３が複数の第５のソケット端子２５に接続でき、複数の第２のソケット端子２２と複数の第３のソケット端子２３が第２規格に適合する第２信号（ＨＤＭＩ或いはＤｉｓｐｌａｙ  ｐｏｒｔ）を伝送するもので、上述は本考案の実施例の信号伝送方法のみであるが、これに限定されない。
【実施例２】
【００２９】
第２の実施例で開示するコネクタ１００には、機械式可動部材３１に接続する複数の切替端子４１を更に含む。機械式可動部材３１が第１位置に定位された時、複数の切替端子４１が一部複数の第３のソケット端子２３（５本の端子）と複数の第４のソケット端子２４に接続でき、これを介して第１のソケット端子２１と一部複数の第３のソケット端子２３（５本の端子）が第３規格に適合する第３信号（ＵＳＢ３．０信号）を伝送できるようになる。
機械式可動部材３１が第２位置に定位された時、複数の切替端子４１が一部複数の第３のソケット端子２３（５本の端子）と複数の第５のソケット端子２５に接続でき、これを介して複数の第２のソケット端子２２と複数の第３のソケット端子２３が第２規格に適合する第２信号（ＨＤＭＩ信号或いはＤｉｓｐｌａｙ  ｐｏｒｔ信号）を伝送できるようになる。
【００３０】
前述で説明する複数の第１のソケット端子２１の数量は、第１規格で定める数量に適合するため、第１規格に適合する一組の第１信号（ＵＳＢ２．０信号）の伝送に用いられる。複数の第２のソケット端子２２と複数の第３のソケット端子２３の数量が第２規格で定める数量に適合するため、第２規格に適合する一組の第２信号（ＨＤＭＩ信号或いはＤｉｓｐｌａｙ  ｐｏｒｔ信号）の伝送に用いられ、複数の第１のソケット端子２１と一部複数の第３のソケット端子２３が第３規格に適合する第３信号（ＵＳＢ３．０信号）を伝送する。ただし、本考案に開示する内容に基づき、当業者は実際の必要性により端子の数量を変えて複数組の信号を伝送できる。
【００３１】
上記第１の舌部１４１と第２の舌部１４２の一面は平面を形成した場合、第１の舌部１４１と第２の舌部１４２が第１のハウジング開口部１１或いは第２のハウジング開口部１２に向き、複数の第１のソケット端子２１の他端と一部複数の第２のソケット端子２３の一端がそれぞれ間隔を形成する。複数の第１のソケット端子２１の他端と第１の舌部１４１の一面との距離は、一部複数の第３のソケット端子２３の一端と第２の舌部１４２の一面との距離を上回り、そうすると外部プラグ２００をソケット１００に差込んだ時、プラグ２００の複数の第１のプラグ端子８０ａとソケット１００の複数の第１のソケット端子２１とが接続した時、複数の第１のソケット端子２１の他端と一部複数の第３のソケット端子２３の一端を介して各々間隔を形成し、複数の第１のプラグ端子８０ａは第１の舌部１４１と第２の舌部１４２の一面が平面を形成することで、容易に距離近接によって複数の第３のソケット端子２３と接触導電或いは静電気による信号干渉の問題が起きない。
【００３２】
図６、図７、図８及び図９を参照しながら説明する。図７は本考案に係るコネクタ１００と第１信号（ＵＳＢ２．０）を伝送する第１のプラグ２１０の実施例で、図８が本考案に係るコネクタ１００と第２信号（ＨＤＭＩ或いはＤｉｓｐｌａｙ  ｐｏｒｔ）を伝送する第２のプラグ２２０の実施例で、図９が本考案に係るコネクタ１００と第３信号（ＵＳＢ３．０）を伝送する第３のプラグ２３０の実施例である。上記第３信号を伝送する時、第１信号を伝送する第１のプラグ２１０内に一組の第３のプラグ端子２３を増やすことができる。
【００３３】
第１信号（ＵＳＢ２．０）を伝送する第１のプラグ２１０には、絶縁座体７０ａと外殻体７０ｂと差込部７０ｃと複数の第１のプラグ端子８０ａとを含む。第２信号（ＨＤＭＩ或いはＤｉｓｐｌａｙ  ｐｏｒｔ）を伝送する第２のプラグ２２０には絶縁座体７０ａと外殻体７０ｂと差込部７０ｃと複数の第２のプラグ端子８０ｂと複数の第３のプラグ端子８０ｃとを含む。第３信号（ＵＳＢ３．０）を伝送する第３のプラグ２３０には、絶縁座体７０ａと外殻体７０ｂと差込部７０ｃと複数の第１のプラグ端子８０ａと複数の第４のプラグ端子８０ｄとを含む。上記プラグ２００はＵＳＢ２．０、ＨＤＭＩ或いはＵＳＢ３．０を伝送する一般的なコネクタタイプであるため、その詳細な構造はここで記述を省略する。
【００３４】
第１信号（ＵＳＢ２．０）を伝送する第１のプラグ２１０を本考案に係るコネクタ１００の第１のハウジング開口部１１内に差込むと、複数の第１のソケット端子２１に当接することで第１規格に適合する第１信号が伝送する。第３信号（ＵＳＢ３．０）を伝送する第３のプラグ２３０を第１のハウジング開口部１１内に差込むと、複数の第１のソケット端子２１と一部複数の第３のソケット端子２３に当接することで第３規格に適合する第３信号が伝送される。第２信号（ＨＤＭＩ或いはＤｉｓｐｌａｙ  ｐｏｒｔ）を伝送する第２のプラグ２２０を第２のハウジング開口部１２内に差込むと、複数の第２のソケット端子２２と複数の第３のソケット端子２３に当接することで第２規格に適合する第２信号が伝送される。
【００３５】
本考案は、コネクタの機械式可動部材の移動を通じて異なる信号伝送機能を効果的に切り替え、同時にコネクタの絶縁座体はハウジング開口部サイズの異なる差込口と厚さの異なる第１の舌部と第２の舌部とを含み、異なる信号を伝送するコネクタプラグの接続のために使用される。
【００３６】
上記においてなされた好ましい実施例は、あくまでも本考案の技術内容を明らかにするものであって、そのような具体例にのみ限定して狭義に解釈されるべきものではなく、当業者が本考案の趣旨を逸脱せず行う種々の改良変更は本考案の範囲内に含める。よって、本考案の保護範囲は後記の実用新案登録請求の範囲内で限定するものを基準とする。
【符号の説明】
【００３７】
１００    コネクタ
２００    プラグ
２１０    第１のプラグ
２２０    第２のプラグ
２３０    第３のプラグ
１１０    絶縁座体
１０      差込口
１１      第１のハウジング開口部
１２      第２のハウジング開口部
１３      本体
１３１    スライド溝
１４      舌片
１４１    第１の舌部
１４１ａ  第１の厚さ
１４２    第２の舌部
１４２ａ  第２の厚さ
１４３    段差面
２１      第１のソケット端子
２２      第２のソケット端子
２３      第３のソケット端子
２４      第４のソケット端子
２５      第５のソケット端子
３１      機械式可動部材
３１１    当接支持ブロック
４１      切替端子
５１      弾性部材
６１      殻体
７０ａ    絶縁座体
７０ｂ    外殻体
７０ｃ    差込部
８０ａ    複数の第１のプラグ端子
８０ｂ    複数の第２のプラグ端子
８０ｃ    複数の第３のプラグ端子
８０ｄ    複数の第４のプラグ端子
【図１】
0003180092.tif 000003
【図２】
0003180092.tif 000004
【図３】
0003180092.tif 000005
【図４】
0003180092.tif 000006
【図５】
0003180092.tif 000007
【図６】
0003180092.tif 000008
【図７】
0003180092.tif 000009
【図８】
0003180092.tif 000010
【図９】
0003180092.tif 000011
【手続補正書】
【提出日】平成24年10月2日(2012.10.2)
【手続補正１】
【補正対象書類名】実用新案登録請求の範囲
【補正対象項目名】全文
【補正方法】変更
【補正の内容】
【実用新案登録請求の範囲】
【請求項１】
差込口と、厚さが異なる第１の舌部と第２の舌部とを備え、前記差込口に位置する舌片とを含む絶縁座体と、
前記第１の舌部の一面に位置し、第１信号を伝送する複数の第１のソケット端子と、
前記第２の舌部の一面に位置する複数の第２のソケット端子と、
前記第１の舌部の一面と同じ前記第２の舌部の他面に位置する複数の第３のソケット端子と、
前記絶縁座体に位置する複数の第４のソケット端子と、
前記絶縁座体に位置すると共に前記第４のソケット端子と交互にずれる複数の第５のソケット端子と、
前記絶縁座体の第１位置と第２位置の間に位置し、前記第１位置に定位された時、一部の前記第３のソケット端子が前記第５のソケット端子に接続し、前記第２のソケット端子と前記第３のソケット端子が第２信号を伝送し、前記第２位置に定位された時、一部の前記第３のソケット端子が前記第４のソケット端子に接続し、前記第１のソケット端子と一部の前記第３のソケット端子が第３信号を伝送する機械式可動部材と、
を含むことを特徴とする機械式切替機能を有するコネクタ。
【請求項２】
前記機械式可動部材は、前記絶縁座体に位置すると共に差込口内に定位する当接支持ブロックを含むことを特徴とする請求項１に記載の機械式切替機能を有するコネクタ。
【請求項３】
前記機械式可動部材に接続する複数の切替端子を更に含み、前記機械式可動部材が前記第１位置に定位された時、前記切替端子が一部の前記第３のソケット端子と前記第５のソケット端子に接続でき、前記機械式可動部材が前記第２位置に定位された時、前記切替端子が一部の前記第３のソケット端子と前記第４のソケット端子に接続できることを特徴とする請求項１に記載の機械式切替機能を有するコネクタ。
【請求項４】
前記絶縁座体と前記機械式可動部材の間に位置する弾性部材を更に含むことを特徴とする請求項１に記載の機械式切替機能を有するコネクタ。
【請求項５】
差込口と、厚さが異なる第１の舌部と第２の舌部とを備え、前記差込口に位置する舌片とを含む絶縁座体と、
前記第１の舌部の一面に位置し、第１信号を伝送する複数の第１のソケット端子と、
前記第２の舌部の一面に位置する複数の第２のソケット端子と、
前記第１の舌部の一面と同じ前記第２の舌部の他面に位置する複数の第３のソケット端子と、
前記絶縁座体に位置する複数の第４のソケット端子と、
前記絶縁座体に位置すると共に前記第４のソケット端子と交互にずれる複数の第５のソケット端子と、
前記絶縁座体の第１位置と第２位置の間に位置し、前記第１位置に定位された時、一部の前記第３のソケット端子が前記第４のソケット端子に接続し、前記第１のソケット端子と一部の前記第３のソケット端子が第３信号を伝送し、前記第２位置に定位された時、一部の前記第３のソケット端子が前記第５のソケット端子に接続し、前記第２のソケット端子と前記第３のソケット端子が第２信号を伝送する機械式可動部材と、
を含むことを特徴とする機械式切替機能を有するコネクタ。
【請求項６】
前記第１の舌部と前記第２の舌部の間に段差面を備え、前記機械式可動部材が前記絶縁座体に位置すると共に前記差込口の外側へ向けて前記段差面から延出する当接支持ブロックを含むことを特徴とする請求項５に記載の機械式切替機能を有するコネクタ。
【請求項７】
前記機械式可動部材に接続する複数の切替端子を更に含み、前記機械式可動部材が前記第１位置に定位された時、前記切替端子が一部の前記第３のソケット端子と前記第４のソケット端子に接続でき、前記機械式可動部材が前記第２位置に定位された時、前記切替端子が一部の前記第３のソケット端子と前記第５のソケット端子に接続できることを特徴とする請求項５に記載の機械式切替機能を有するコネクタ。
【請求項８】
前記絶縁座体と前記機械式可動部材の間に位置する弾性部材を更に含むことを特徴とする請求項５に記載の機械式切替機能を有するコネクタ。
【手続補正２】
【補正対象書類名】明細書
【補正対象項目名】０００３
【補正方法】変更
【補正の内容】
【０００３】
デジタルオーディオの娯楽が提供される電子機器は、高解像マルチメディアインターフェース（Ｈｉｇｈ−Ｄｅｆｉｎｉｔｉｏｎ  Ｍｕｌｔｉｍｅｄｉａ  Ｉｎｔｅｒｆａｃｅ、ＨＤＭＩ（登録商標）と略称）規格に適合するコネクタソケット及びユニバーサル・シリアル・バス（Ｕｎｉｖｅｒｓａｌ  Ｓｅｒｉａｌ  Ｂｕｓ、ＵＳＢと略称）２．０規格に適したコネクタソケット、３．０規格に適したコネクタソケット或いるは複数の他規格に適したコネクタソケットを設置し、且つイヤホンソケット及びマイクソケットも設置しなければならない場合、電子機器の多くのスペースが無駄となって各ソケットコネクタが取り付けられている。